(57)【要約】【課題】  草刈り鎌の刈刃部の先端側半部と基端側半部をそれぞれ有効に使用すること。【解決手段】  草刈り鎌の刈刃部に着脱自在に取り付けて、同刈刃部をカバーするカバー体であって、カバー体は、刈刃部の先端側半部の少なくとも刃先部をカバーする先端側半部カバー体と、刈刃部の基端側半部の少なくとも刃先部をカバーする基端側半部カバー体とを具備している。このようにして、先端側半部カバー体と基端側半部カバー体のいずれか一方を、刈刃部の先端側半部ないしは基端側半部に取り付けることにより、刈刃部の少なくとも刃先部の先端側半部ないしは基端側半部を露出させて、この露出させた側の刃先部だけを使用して草刈り作業を行うことができる。【選択図】    図１
2006149347.tif 000002
【特許請求の範囲】
【請求項１】
草刈り鎌の刈刃部に着脱自在に取り付けて、同刈刃部をカバーするカバー体であって、
カバー体は、刈刃部の先端側半部の少なくとも刃先部をカバーする先端側半部カバー体と、刈刃部の基端側半部の少なくとも刃先部をカバーする基端側半部カバー体とを具備することを特徴とする草刈り鎌のカバー体。
【請求項２】
先端側半部カバー体と基端側半部カバー体の内の少なくともいずれか一方の一側端部に、刈り取った草等を掻き寄せるための草等掻き寄せ片を形成すると共に、同草等掻き寄せ片を形成したカバー体は、草等掻き寄せ片が刈刃部の先端部から突出するように同刈刃部に取り付け可能としたことを特徴とする請求項１記載の草刈り鎌のカバー体。
【請求項３】
先端側半部カバー体と基端側半部カバー体の内の少なくともいずれか一方の一側端部に、泥土等を掻き寄せるための泥土等掻き寄せ片を形成すると共に、同泥土等掻き寄せ片を形成したカバー体は、泥土等掻き寄せ片が刈刃部の先端部から突出するように同刈刃部に取り付け可能としたことを特徴とする請求項１又は２記載の草刈り鎌のカバー体。
【発明の詳細な説明】
【技術分野】
【０００１】  本発明は、草刈り鎌のカバー体に関する。
【背景技術】
【０００２】  従来、草刈り鎌の一形態として、円弧状に湾曲させて形成した刈刃部と、同刈刃部の一側端部に連設した握柄部とを具備するものがあり、かかる草刈り鎌の刈刃部と握柄部とをＬ型に形成した収納袋体内に収納して、特に、刈刃部の刃先部が人体等に触れないようにカバーするようにしたものがある（例えば、特許文献１参照）。【０００３】  また、草刈り鎌の一形態として、円弧状に湾曲させて形成した刈刃部と、同刈刃部の一側端部に連設した握柄部とを具備すると共に、刈刃部の刃先部とは反対側の側縁部に、刃先部と略直交する方向に掻き寄せ用爪部を突設して、同掻き寄せ用爪部により、刈り取った草等を掻き寄せるようにしたものがある（例えば、特許文献２参照）。
【特許文献１】  特開２００３−１２５６２４号公報
【特許文献２】  特開２０００−９２９３８号公報
【発明の開示】
【発明が解決しようとする課題】
【０００４】  ところが、前記した前者の草刈り鎌の収納袋体は、単に、刈刃部と握柄部とをカバーしているだけ、それ以外の機能は何ら有していないという不具合がある。【０００５】  また、後者の草刈り鎌は、掻き寄せ用爪部を具備して、同掻き寄せ用爪部により刈り取った草等を掻き寄せることができるという機能を有しているが、同掻き寄せ用爪部を設けている分だけ製造コストが高くなるという不具合がある。【０００６】  しかも、掻き寄せ用爪部に不具合がなくても、刈刃部に刃こぼれ等の不具合が生じた場合には、製造コストの高い草刈り鎌自体を新しいものに代えなければならないという不具合がある。【０００７】  また、一般的に、草刈り鎌は、刈刃部の刃先部の先端部側と基端部側にそれぞれ刃こぼれ等が生じた場合には、その刃こぼれ等が小さなものであっても草刈り効率が落ちるため、新しい草刈り鎌に代えて使用している。
【課題を解決するための手段】
【０００８】  そこで、本発明では、草刈り鎌の刈刃部に着脱自在に取り付けて、同刈刃部をカバーするカバー体であって、カバー体は、刈刃部の先端側半部の少なくとも刃先部をカバーする先端側半部カバー体と、刈刃部の基端側半部の少なくとも刃先部をカバーする基端側半部カバー体とを具備することを特徴とする草刈り鎌のカバー体を提供するものである。【０００９】  また、本発明は、以下の構成にも特徴を有する。
（１）先端側半部カバー体と基端側半部カバー体の内の少なくともいずれか一方の一側端部に、刈り取った草等を掻き寄せるための草等掻き寄せ片を形成すると共に、同草等掻き寄せ片を形成したカバー体は、草等掻き寄せ片が刈刃部の先端部から突出するように同刈刃部に取り付け可能としたこと。
（２）先端側半部カバー体と基端側半部カバー体の内の少なくともいずれか一方の一側端部に、泥土等を掻き寄せるための泥土等掻き寄せ片を形成すると共に、同泥土等掻き寄せ片を形成したカバー体は、泥土等掻き寄せ片が刈刃部の先端部から突出するように同刈刃部に取り付け可能としたこと。
【発明の効果】
【００１０】（１）請求項１記載の本発明では、草刈り鎌の刈刃部に着脱自在に取り付けて、同刈刃部をカバーするカバー体であって、カバー体は、刈刃部の先端側半部の少なくとも刃先部をカバーする先端側半部カバー体と、刈刃部の基端側半部の少なくとも刃先部をカバーする基端側半部カバー体とを具備している。【００１１】  このようにして、先端側半部カバー体と基端側半部カバー体のいずれか一方を、刈刃部の先端側半部ないしは基端側半部に取り付けることにより、刈刃部の少なくとも刃先部の先端側半部ないしは基端側半部を露出させて、この露出させた側の刃先部だけを使用して草刈り作業を行うことができる。【００１２】  そして、草刈り作業に使用していた側の刃先部、例えば、先端側半部の刃先部に刃こぼれ等の不具合が生じた場合には、同先端側半部の刃先部に先端側半部カバー体を取り付けると共に、基端側半部に取り付けていた基端側半部カバー体を取り外して、露出した基端側半部の刃先部だけを使用して草刈り作業を行うことができる。【００１３】  従って、草刈り鎌の刈刃部の先端側半部と基端側半部をそれぞれ有効に使用することができる。【００１４】  また、かかるカバー体は、既存の草刈り鎌の刈刃部に取り付けることができるため、既存の草刈り鎌を有効に使用することができる。【００１５】（２）請求項２記載の本発明では、先端側半部カバー体と基端側半部カバー体の内の少なくともいずれか一方の一側端部に、刈り取った草等を掻き寄せるための草等掻き寄せ片を形成すると共に、同草等掻き寄せ片を形成したカバー体は、草等掻き寄せ片が刈刃部の先端部から突出するように同刈刃部に取り付け可能としている。【００１６】  このようにして、刈刃部に草等掻き寄せ片を形成したカバー体を、同草等掻き寄せ片が刈刃部の先端部から突出するように取り付けることにより、刈刃部により刈り取った草等を、草等掻き寄せ片により効率よく掻き寄せることができる。【００１７】  すなわち、草等を刈り取る作業と、刈り取った草等を掻き寄せるという一連の作業を、一つの草刈り鎌により連続して行うことができるため、草等の刈り取り作業と草等の掻き寄せ作業とを効率良く行うことができる。【００１８】  また、かかるカバー体は、既存の草刈り鎌の刈刃部に取り付けることができるため、既存の草刈り鎌に草等の掻き寄せ機能を保有させることができて、別途に草等を掻き寄せるための用具を用意する手間や煩雑さをなくすことができる。【００１９】（３）請求項３記載の本発明では、先端側半部カバー体と基端側半部カバー体の内の少なくともいずれか一方の一側端部に、泥土等を掻き寄せるための泥土等掻き寄せ片を形成すると共に、同泥土等掻き寄せ片を形成したカバー体は、泥土等掻き寄せ片が刈刃部の先端部から突出するように同刈刃部に取り付け可能としている。【００２０】  このようにして、刈刃部に泥土等掻き寄せ片を形成したカバー体を、同泥土等掻き寄せ片が刈刃部の先端部から突出するように取り付けることにより、例えば、圃場の周囲に敷設された排水路等内に沈殿した泥土等を、泥土等掻き寄せ片により効率よく掻き寄せることができる。【００２１】  しかも、かかるカバー体は、既存の草刈り鎌の刈刃部に取り付けることができるため、既存の草刈り鎌に泥土等の掻き寄せ機能を保有させることができて、特に、草刈り作業を行った後に泥土等の掻き寄せ作業を行う場合には、別途に泥土等を掻き寄せるための用具を用意する手間や煩雑さをなくすことができる。
【発明を実施するための最良の形態】
【００２２】  以下に、本発明の最良の実施形態を図１〜図５を参照しながら説明する。【００２３】  図１は、本発明に係るカバー体を刈刃部に取り付けた状態の側面図、図２は、先端側半部カバー体を刈刃部に取り付けた状態の側面図、図３は、基端側半部カバー体を刈刃部に取り付けた状態の側面図、図４は、草等掻き寄せ片の使用状態説明図、及び、図５は、泥土等掻き寄せ片の使用状態説明図である。【００２４】  図１に示すＫは草刈り鎌であり、同草刈り鎌Ｋは、円弧状に湾曲させて形成した刈刃部１と、同刈刃部１の一側端部（本実施の形態では右側端部）に連設した握柄部２とを具備している。３は、刈刃部１に下側縁部に形成した刃先部である。【００２５】  上記草刈り鎌Ｋの刈刃部１には、本発明に係るカバー体Ａを着脱自在に取り付けてカバーしており、同カバー体Ａは、刈刃部１の先端側半部の少なくとも刃先部３をカバーする先端側半部カバー体Ａ１と、刈刃部１の基端側半部の少なくとも刃先部３をカバーする基端側半部カバー体Ａ２とを具備している。【００２６】  先端側半部カバー体Ａ１は、図１及び図２に示すように、刈刃部１の上下幅の略半分の上下幅を有する前面側カバー形成片１０と、刈刃部１の先端側部と相似形でかつやや大き目に形成した後面側カバー形成片１１とから形成しており、前面側カバー形成片１０の下端縁部１０ａと前端縁部１０ｂとを、後面側カバー形成片１１の下端縁部と前端縁部の下部に連設して、前面側カバー形成片１０の上端縁部１０ｃよりも上方と、同前面側カバー形成片１０の後端縁部１０ｄよりも後方とをそれぞれ開口状態となしている。１２は上端縁部側開口部、１３は後端縁部側開口部である。【００２７】  しかも、前面側カバー形成片１０と後面側カバー形成片１１との間には、刈刃部１の肉厚と略同一の前後間隔を保持しており、刈刃部１に先端側半部カバー体Ａ１を取り付ける際には、刈刃部１の刃先部３に、上端縁部側開口部１２と後端縁部側開口部１３とを通して、先端側半部カバー体Ａ１を摩擦抵抗力に抗して嵌合させることにより、同摩擦抵抗力により装着保持することができるようにしている。【００２８】  基端側半部カバー体Ａ２は、図１及び図３に示すように、刈刃部１の上下幅の略半分の上下幅を有する前面側カバー形成片１５と、刈刃部１の基端側部と相似形でかつやや大き目に形成した後面側カバー形成片１６とから形成しており、前面側カバー形成片１５の下端縁部１５ａを、後面側カバー形成片１６の下端縁部に連設して、前面側カバー形成片１５の前端縁部１５ｂよりも前方と、同前面側カバー形成片１５の上端縁部１５ｃよりも上方と、同前面側カバー形成片１５の後端縁部１５ｄよりも後方とをそれぞれ開口状態となしている。１７は前端縁部側開口部、１８は上端縁部側開口部、１９は後端縁部側開口部である。【００２９】  しかも、前面側カバー形成片１５と後面側カバー形成片１６との間には、刈刃部１の肉厚と略同一の前後間隔を保持しており、刈刃部１に基端側半部カバー体Ａ２を取り付ける際には、刈刃部１の刃先部３に、前端縁部側開口部１７と上端縁部側開口部１８と後端縁部側開口部１９とを通して、基端側半部カバー体Ａ２を摩擦抵抗力に抗して嵌合させることにより、同摩擦抵��力により装着保持することができるようにしている。【００３０】  さらには、後面側カバー形成片１６の一側端部、すなわち、本実施の形態では左側端縁部には、前面側カバー形成片１５の左側端縁部よりも左側方へ突出させて鋸波状の草等掻き込み片１６ａを一体成形する一方、後面側カバー形成片１６の他側端部、すなわち、本実施の形態では右側端縁部には、前面側カバー形成片１５の右側端縁部よりも右側方へ突出させて直状の泥土等掻き込み片１６ｂを一体成形している。【００３１】  このようにして、草刈り鎌Ｋを使用しない場合や収納する場合には、図１に示すように、刈刃部１に先端側半部カバー体Ａ１と基端側半部カバー体Ａ２の両方を装着することにより、特に、刃先部３をカバーすることができる。【００３２】  そして、草刈り作業をする際には、先端側半部カバー体Ａ１と基端側半部カバー体Ａ２の内のいずれか一方を、刈刃部１の先端側半部ないしは基端側半部から取り外すことにより、図２及び図３に示すように、刈刃部１の少なくとも刃先部３の先端側半部ないしは基端側半部を露出させて、この露出させた側の刃先部３だけを使用して草刈り作業を行うことができる。【００３３】  そして、草刈り作業に使用していた側の刃先部３、例えば、先端側半部の刃先部３に刃こぼれ等の不具合が生じた場合には、図２に示すように、同先端側半部の刃先部３に先端側半部カバー体Ａ１を取り付けると共に、基端側半部に取り付けていた基端側半部カバー体Ａ２を取り外して、露出した基端側半部の刃先部３だけを使用して草刈り作業を行うことができる。【００３４】  従って、草刈り鎌Ｋの刈刃部１の先端側半部と基端側半部をそれぞれ有効に使用することができる。【００３５】  また、かかるカバー体Ａ１，Ａ２は、既存の草刈り鎌の刈刃部に取り付けることができるため、既存の草刈り鎌Ｋを有効に使用することができる。【００３６】  また、図４に示すように、刈刃部１に、草等掻き寄せ片１６ａを形成した基端側半部カバー体Ａ２を、同草等掻き寄せ片１６ａが刈刃部１の先端部から突出するように取り付けることにより、刈刃部１により刈り取った草Ｂ等を、草等掻き寄せ片１６ａにより効率よく掻き寄せることができる。【００３７】  すなわち、草Ｂ等を刈り取る作業と、刈り取った草Ｂ等を掻き寄せるという一連の作業を、一つの草刈り鎌Ｋにより連続して行うことができるため、草Ｂ等の刈り取り作業と草Ｂ等の掻き寄せ作業とを効率良く行うことができる。【００３８】  また、かかる基端側半部カバー体Ａ２は、既存の草刈り鎌Ｋの刈刃部１に取り付けることができるため、既存の草刈り鎌Ｋに草Ｂ等の掻き寄せ機能を保有させることができて、別途に草Ｂ等を掻き寄せるための用具を用意する手間や煩雑さをなくすことができる。【００３９】  また、図５に示すように、刈刃部１に、泥土等掻き寄せ片１６ｂを形成した基端側半部カバー体Ａ２を、同泥土等掻き寄せ片１６ｂが刈刃部１の先端部から突出するように取り付けることにより、例えば、圃場の周囲に敷設された排水路Ｃ等内に沈殿した泥土Ｄ等を、泥土等掻き寄せ片１６ｂにより効率よく掻き寄せることができる。【００４０】  しかも、かかる基端側半部カバー体Ａ２は、既存の草刈り鎌Ｋの刈刃部１に���り付けることができるため、既存の草刈り鎌Ｋに泥土Ｄ等の掻き寄せ機能を保有させることができて、特に、草刈り作業を行った後に泥土Ｄ等の掻き寄せ作業を行う場合には、別途に泥土Ｄ等を掻き寄せるための用具を用意する手間や煩雑さをなくすことができる。【００４１】  図６は、先端側半部カバー体Ａ１の他実施形態を示しており、同先端側半部カバー体Ａ１は、基本的構造を前記した先端側半部カバー体Ａ１と同じくしているが、前面側カバー形成片１０の前側端縁部に鋸歯状の草等掻き寄せ片１１ａを一体成形すると共に、同草等掻き寄せ片１１ａに草等切削機能を保持させている点において異なる。【００４２】  このようにして、先端側半部カバー体Ａ１に、草等切削機能を保持する草等掻き寄せ片１１ａを一体成形しているため、刈刃部１の刃先部３の基端側半部と草等掻き寄せ片１１ａとにより草刈り作業を行うと共に、刈り取った草等を草等掻き寄せ片１１ａにより楽に掻き寄せることができる。【００４３】  この際、基端側半部カバー体Ａ２に草等掻き寄せ片１６ａを形成した場合には、同基端側半部カバー体Ａ２を刈刃部１の基端側半部から先端側半部に装着し直す手間を要するが、上記した先端側半部カバー体Ａ１では、かかる装着し直す手間を要しないという利点がある。【００４４】  また、上記した実施形態では、先端側半部カバー体Ａ１に草等掻き寄せ片１１ａを一体成形しているが、同草等掻き寄せ１１ａに代えて泥土等掻き寄せ片を一体成形することもできる。【００４５】  この場合も、刈刃部１の刃先部３の基端側半部にて草刈り作業を行うと共に、先端側半部カバー体Ａ１を装着し直すことなく、泥土等掻き寄せ片により泥土等を掻き寄せることができる。
【図面の簡単な説明】
【００４６】
【図１】  本発明に係るカバー体を刈刃部に取り付けた状態の側面図。
【図２】  先端側半部カバー体を刈刃部に取り付けた状態の側面図。
【図３】  基端側半部カバー体を刈刃部に取り付けた状態の側面図。
【図４】  草等掻き寄せ片の使用状態説明図。
【図５】  泥土等掻き寄せ片の使用状態説明図。
【図６】  他の実施形態としての先端側半部カバー体を刈刃部に取り付けた状態の側面図。
【符号の説明】
【００４７】  Ａ  カバー体
Ａ１  先端側半部カバー体
Ａ２  基端側半部カバー体
Ｂ  草
Ｃ  排水路
Ｄ  泥土
Ｋ  草刈り鎌
１  刈刃部
２  握柄部
３  刃先部
【図１】
2006149347.tif 000003
【図２】
2006149347.tif 000004
【図３】
2006149347.tif 000005
【図４】
2006149347.tif 000006
【図５】
2006149347.tif 000007
【図６】
2006149347.tif 000008